(57)【特許請求の範囲】
【請求項１】
磁気テープを巻装した単一のリールをカートリッジケース内に回転可能に収容し、使用時に前記リールの回転を許容し、不使用時に前記リールの回転を拘束するリール回転制止手段を備えた磁気テープカートリッジにおいて、
前記リール回転制止手段は、前記リールに対して接離可能に移動してリールの係止突起と係止してその回転を拘束する係止部及び該係止部を係止方向に付勢する付勢部が一体に形成されてなる制止部材と、前記リールと一体に回転してドライブ側回転駆動手段のチャッキング動作に応じて移動し前記制止部材の係止部を解除方向に移動させる解除部材とを備え、
前記制止部材は、中央の円盤部の外周に放射方向にアーム部が延び、該アーム部に前記係止部が形成され、前記アーム部の間に前記円盤部より放射方向に延びるバネによる前記付勢部が一体に設けられ、前記カートリッジケースに立設された保持部の第１の溝部に前記アーム部が挿通され、第２の溝部に前記付勢部が係止されてなり、前記制止部材は回転が規制された状態で前記係止部が前記係止突起と係脱移動可能で、前記付勢部が弾性変形することを特徴とする磁気テープカートリッジ。
【請求項２】
前記制止部材は、一枚の板材の加工で前記係止部及び付勢部が一部品に形成されていることを特徴とする請求項１に記載の磁気テープカートリッジ。
【発明の詳細な説明】
【０００１】
【発明の属する技術分野】
本発明は、磁気テープカートリッジに関し、特にカートリッジケース内に磁気テープが巻装された単一のリールを回転可能に収容してなる磁気テープカートリッジにおいて、上記リールを不使用時に回転制止状態とするリール回転制止手段の構造に関するものである。
【０００２】
【従来の技術】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。この磁気テープはコンピュータ等のデータ保存用として用いられ、重要な情報が記憶されているため、テープジャミング等のトラブルが発生しないように、また保管時等の不使用時には不用意に磁気テープが引き出されないように、上記リールの回転を拘束するリール回転制止手段が設置されている。
【０００３】
上記リール回転制止手段は、リールの一部に係合してその回転を拘束する制止部材を備え、カートリッジを外部記憶装置等のドライブに装填した際には、上記制止部材をドライブ側回転駆動手段によるリールのチャッキング動作に応じて制止状態を解除するように設けている。
【０００４】
【発明が解決しようとする課題】
しかして、前述のリール回転制止手段の動作の信頼性向上、カートリッジケース内への塵埃の侵入防止等の要求から、制止部材をドライブ側回転駆動手段によって直接移動させる構造とせず、中間に解除部材を介装して制止状態を解除する構造に設けることが考えられる。
【０００５】
つまり、不使用状態においては、制止部材によってリールが不用意に回転しないように拘束して磁気テープの引き出しが行われないようにしているが、カートリッジをドライブに装填して回転駆動手段によってリールのチャッキングが行われると、その動作に連係して解除部材が移動して前記制止部材を解除作動する。この状態においてはリールは回転可能となり、磁気テープの引き出し及び巻き取りが行える。
【０００６】
そして、上記のような解除部材を介装する構造においては、部品点数が増加することにより、組み立てが煩雑となって工程が増加し、作業性が低下する問題を有する。特にカートリッジケース内におけるリール回転制止手段の設置スペースは狭く、制止状態を保持する付勢部材の配設も必要とすることから、その組み立てが煩雑となるものである。
【０００７】
本発明は上記点に鑑みなされたもので、リール回転制止手段の部品点数の低減によって組み付け性を改善するようにした磁気テープカートリッジを提供せんとするものである。
【０００８】
【課題を解決するための手段】
上記課題を解決した本発明の磁気テープカートリッジは、磁気テープを巻装した単一のリールをカートリッジケース内に回転可能に収容し、使用時に前記リールの回転を許容し、不使用時に前記リールの回転を拘束するリール回転制止手段を備えたものにおいて、前記リール回転制止手段は、前記リールに対して接離可能に移動してリールの係止突起と係止してその回転を拘束する係止部及び該係止部を係止方向に付勢する付勢部が一体に形成されてなる制止部材と、前記リールと一体に回転してドライブ側回転駆動手段のチャッキング動作に応じて移動し前記制止部材の係止部を解除方向に移動させる解除部材とを備え、前記制止部材は、中央の円盤部の外周に放射方向にアーム部が延び、該アーム部に前記係止部が形成され、前記アーム部の間に前記円盤部より放射方向に延びるバネによる前記付勢部が一体に設けられ、前記カートリッジケースに立設された保持部の第１の溝部に前記アーム部が挿通され、第２の溝部に前記付勢部が係止されてなり、前記制止部材は回転が規制された状態で前記係止部が前記係止突起と係脱移動可能で、前記付勢部が弾性変形することを特徴とするものである。
【０００９】
具体的には、前記制止部材は、一枚の板材の加工で前記係止部及び付勢部が一部品に形成されなるものである。
【００１０】
【発明の効果】
上記のような本発明によれば、リール回転制止手段における制止部材を係止部と付勢部との一体形成で構成したことにより、部品点数の低減を図って全体としての磁気テープカートリッジの組み立てを簡易に行うことができる。
【００１１】
【発明の実施の形態】
以下、図面に示す実施の形態に基づいて本発明を詳細に説明する。図１はこの実施の形態における磁気テープカートリッジの不使用状態における断面図、図２は要部の分解斜視図、図３は使用状態における要部断面図である。
【００１２】
磁気テープカートリッジ１は、単一のリール２に磁気テープ（図示省略）を巻装し、上ケース３１と中心部に開口３２ａが設けられた下ケース３２とがビス等により締結されてなるカートリッジケース３内に、上記リール２を回動可能に収容して構成されている。また、上記磁気テープカートリッジ１は、使用時に前記リール２の回転を許容し、不使用時に前記リール２の回転を拘束するリール回転制止手段１０を備えている。
【００１３】
前記リール２は、磁気テープが外周に巻回される有底円筒状のリールハブ２１と、このリールハブ２１の上下端外周からそれぞれ径方向に円盤状に張り出した下フランジ部２２及び上フランジ部２３とからなり、リールハブ２１と下フランジ部２２とが合成樹脂により一体成形され、上フランジ部２３と例えば超音波溶着により結合されている。上記リールハブ２１は中心側下部が底壁２１ａにより閉じられ、該底壁２１ａの下面外周部にはリール２を回転駆動するリールギヤ２４が環状に刻設され、このリールギヤ２４より内周側にはマグネット式吸引用の環状金属板によるリールプレート２５が取り付けられる。そして、上記リール２のリールギヤ２４及びリールプレート２５がカートリッジケース３の底面の開口３２ａに臨むように配置されている。
【００１４】
また、ドライブ側回転駆動手段１１は、回転シャフト１２の上端面に円環状の駆動ギヤ１３とマグネット（図示せず）を備え、そのチャッキング動作は装填された磁気テープカートリッジ１に対して回転シャフト１２が上昇移動し、駆動ギヤ１３が前記リールギヤ２４に噛合すると共に、マグネットにより上記リールプレート２５を吸引して噛合状態を保持する。
【００１５】
次に、前記リール回転制止手段１０の機構を説明する。このリール回転制止手段１０は、前記リール２に対して接離可能に上下方向に移動する係止部４３及び付勢部５が一体に設けられた制止部材４と、前記制止部材４を解除方向に移動させる解除部材６とを有している。
【００１６】
前記リール２の底壁２１ａには、前記リールギヤ２４の部分を上下方向に貫通する３個の挿通孔２６が円周上で等間隔に配設され、さらに、底壁２１ａの上面には上記挿通孔２６と異なる位相位置に３個の係止突起２７が円周上で等間隔に立設され、この係止突起２７の先端部は山形テーパ面に形成されている。なお、上記挿通孔２６及び係止突起２７は３個以上配置してもよい。図２に示すリール２は、底壁２１ａの部分のみ切除した状態で示している。
【００１７】
前記制止部材４は、全体が板材で形成され、中央の湾曲円盤部４１の外周に３カ所放射方向にアーム部４２が延び、このアーム部４２の先端下面両側に係止部４３が折り曲げ形成されている。この両側の係止部４３間に前記係止突起２７の先端部が挿入係止可能である。
【００１８】
また、前記制止部材４の円盤部４１の外周には、前記アーム部４２の間にそれぞれ放射方向に延びる板バネによる付勢部５が一体に設けられている。
【００１９】
そして、前記カートリッジケース３の上ケース３１内面に円環状に保持部３３が立設され、その下端に設けられた深い第１の溝部３３ａに前記制止部材４のアーム部４２の先端が上下方向に移動可能に挿通され、浅い第２の溝部３３ｂには前記付勢部５の先端がそれぞれ係止されている。
【００２０】
これにより、前記制止部材４は回転不能に規制され、その係止部４３は前記リール２の底壁２１ａに対して回転しない状態で接離移動可能に設置され、その接離移動に伴って板バネによる付勢部５が弾性変形し、円盤部４１及び係止部４３を下方に付勢している。
【００２１】
前記解除部材６は、前記制止部材４とリールハブ２１の底壁２１ａとの間に上下移動可能に介装され、中心側の円盤部６１の外周の３個所にアーム部６２が半径方向に延びて形成され、該アーム部６２の先端下面には上下方向に延びる角棒状の押上部６３がそれぞれ設けられている。各押上部６３は、前記リールハブ２１に開口された挿通孔２６にそれぞれ出没移動可能に挿通され、その先端はリールハブ２１下面のリールギヤ２４の歯部に臨んで位置する。その際、前記係止突起２７は各アーム部６２の間に位置する。なお、押上部６３は丸棒状であってもよい。
【００２２】
また、解除部材６の円盤部６１の上面中心には、突起部６４が上方に延びて形成され、その先端は球面に設けられて、前記制止部材４の凸面状に湾曲した円盤部４１の凹状底面の中心部に当接している。
【００２３】
そして、前記解除部材６の最下降位置（図１）では、押上部６３の下端面はリールギヤ２４の略歯先位置となり、上記リールギヤ２４にドライブ側回転駆動手段１１のチャッキング動作により駆動ギヤ１３が噛合するのに応じて解除部材６が所定のストローク量で押し上げられるようになっている（図３）。また、この解除部材６は、押上部６３の挿通孔２６への嵌合によりリール２と一体に回転する。
【００２４】
また、前記制止部材４においては、前記付勢部５の付勢力によって円盤部４１は、その下面が上記解除部材６の突起部６４を下方に押圧するものであり、両者は突起部６４先端を介して摺動接触する。その結果、相互の位置決め、ずれ防止等が図られる。
【００２５】
前記磁気テープカートリッジ１の組み立ては、上ケース３１を上向きに置き、その保持部３３の第１及び第２の溝部３３ａ，３３ｂと係止部４３及び付勢部５とを合わせて制止部材４を載置した後に、解除部材６の押上部６３を挿通孔２６に挿入させた状態のリール２を上下を逆にして組み付け、その後、下ケース３２を結合する方式を採用すると、下面からのビスの締結が容易に行えることになる。
【００２６】
前記リール回転制止手段１０の作用を説明すれば、図１は磁気テープカートリッジ１の保管状態等の不使用時であり、この状態では、制止部材４の付勢部５の付勢力によって、円盤部４１、アーム部４２、係止部４３、解除部材６並びにリール２はカートリッジケース３の下ケース３２側に移動しており、下ケース３２中心部の開口３２ａはリール２によって閉塞される。解除部材６は下面がリールハブ２１の底壁２１ａ当接した最下降状態にあり、その押上部６３は先端部がリールギヤ２４の歯先位置に一致するように突出しており、解除部材６の突起部６４に当接している制止部材４の円盤部４１も下降位置にあり、その係止部４３にリール２の係止突起２７の先端部が係合してリール２の不使用時における回転が拘束され、磁気テープの引き出しを阻止する。
【００２７】
なお、リール２を巻き戻し方向に回転させて磁気テープを最終端まで巻き戻した状態において、磁気テープ先端に固着したリーダピン（図示せず）がカートリッジケース３の一部に係止されてリール２の回転は停止するが、その状態において係止突起２７の回転位置と制止部材４の係止部４３の位置とが一致するように設定されている。
【００２８】
一方、磁気テープカートリッジ１をドライブに装填した図３のカートリッジ使用時は、ドライブ側回転駆動手段１１の回転シャフト１２がリール２の底面に対して接近し、チャッキング動作によって駆動ギヤ１３がリールギヤ２４に噛合しリール２を若干上方に移動させて保持すると、上記駆動ギヤ１３の歯先が解除部材６の押上部６３の先端に当接してこれを押し上げる。これに伴い、解除部材６の突起部６４が制止部材４の円盤部４１を、板バネによる付勢部５の付勢力に抗して弾性変形させつつ押し上げ、係止部４３を溝部３３ａに沿って上方の解除方向へ移動させる。これにより係止部４３と係止突起２７の係合が解除され、リール２が回転自在とされる。
【００２９】
そして、記録再生装置のドライブによって磁気テープが引き出され又は巻き取りによってリール２が回転すると、該リール２と一体に解除部材６は回転する一方、制止部材４はカートリッジケース３側と一体に固定状態にあって回転せず、解除部材６は突起部６４の先端接触部によって制止部材４に対して低摩擦及び低摩耗状態で回転する。これにより、リール２の回転抵抗が低減し、摺動部分も少ないことで摩耗粉の発生も低減できるものである。
【００３０】
前記実施の形態における解除部材６は、低摩擦かつ低摩耗材料で構成する。例えば、ＰＯＭ（ポリオキシメチレン）、ＰＣ（ポリカーボネイト）樹脂、グラファイトを添加したＰＣ樹脂、ＡＢＳ樹脂、グラファイトを添加したＡＢＳ樹脂、二硫化モリブデンを添加したナイロン樹脂等によって成形する。
【図面の簡単な説明】
【図１】本発明の一つの実施の形態による磁気テープカートリッジの不使用状態における断面正面図
【図２】図１の磁気テープカートリッジの要部の分解斜視図
【図３】図１の磁気テープカートリッジの使用状態における要部断面図
【符号の説明】
１    磁気テープカートリッジ
２    リール
３    カートリッジケース
４    制止部材
５    付勢部材
６    解除部材
10    リール回転制止手段
11    ドライブ側回転駆動手段
12    回転シャフト
13    駆動ギヤ
21    リールハブ
21a     底壁
24    リールギヤ
26    挿通孔
27    係止突起
33    保持部
33a,33b   溝部
41    円盤部
42    アーム部
43    係止部
61    円盤部
62    アーム部
63    押上部
64    突起部
【図１】
0003953634.tif 000002
【図２】
0003953634.tif 000003
【図３】
0003953634.tif 000004